(57)【特許請求の範囲】
【請求項１】
両端にハタキ又は乾式モップを挿入、貫通、抜き差しできる開口部を有し、中間部の壁面の全周又は略半円周に空気が流通する吸引孔群を有する内筒と、前記吸引孔群を外側から覆う外殻にて作られた吸引室と、前記吸引室と吸引装置に連通する吸引接続部とを設け、内筒の両端開口部の少なくとも一方にハタキの挿入方向に向かって先細りのラッパ形の挿入口を有し、ラッパ形の挿入口の最大径部に沿って内側に丸められた縁樋が設けられ、縁樋の側面には挿入方向に向かって複数の空気の流入孔が設けてあることを特徴とするハタキの塵埃吸引具。
【発明の詳細な説明】
【技術分野】
【０００１】
本発明は、家具上面や隙間に堆積する塵挨を清掃するハタキ又は乾式モップ（以下ハタキという）、特に静電気で塵挨を付着除去する静電吸着型のハタキの除塵を効果的に行う電気掃除機或いは吸引装置に接続して使用するハタキの塵埃吸引具に関する。
【背景技術】
【０００２】
ハタキは箪笥の上面、障子の桟、ブラインド等の塵おとしに、昔から広く使われている。構造的には細い棒の先端或いは棒のまわりに合成繊維を束ねて取り付けたもの（以下繊維束部と呼ぶ）が多く、塵落としの他、狭いところのごみを掻き出したり、手が届きにくいエアコンの上面の掃除にも向いている。繊維束部の断面は円形が多く、径は４〜８ｃｍである。又、繊維束部の長さは、５〜１００ｃｍと多岐にわたっている。布製等旧来のハタキの欠点は、塵を散乱させることにあり、最近では静電気で塵を付着させる合成繊維系のハタキが主流になってきている。汚れたハタキの清掃は、ハタキ表面をブラッシングするのが普通であるが、屋外でのみ可能な方法である。又、室内で処理できる専用の吸引清掃装置も出現してきているが高価である。このため広く普及している電気掃除機を利用した安価な塵埃吸入具のニーズは高いが、特に実用性の点において十分とはいえない。
【０００３】
上記の対策として下記等が提案されている。
特許文献１は、合成繊維のハタキに静電気にて付着した塵埃を吸引形電気掃除機により除去する脱塵補助具に関するものであり、中空体の一方に開口部を、他方に電気掃除機に連通する吸引口を設け、開口部よりハタキを挿入し、吸引口に接続した電気掃除機により吸引脱塵するよう構成されている。更に通常のフロアヘッドツールを取り付けた電気掃除機の吸引パイプの中間に空気の流通を分岐、開閉する接続部を介して吸引型電気掃除機に連通させ、ヘッドツールの交換なしにフロア掃除とハタキの脱塵できるように工夫されている。
【０００４】
特許文献２は、除電布を内蔵した筒状容器の底部に吸引口を設け、除電により底部に落ちた塵を吸引除去する構造になっている。
【０００５】
特許文献３は、中空体の一方に開口部を、他方に電気掃除機に連通する吸引口を設け、開口部よりハタキを挿入し、吸引口に接続した電気掃除機により吸引脱塵するよう構成されている。筒状中空体の直径が吸引口に向かって幅狭となる円錐状で、内周面に長手方向に沿って放射状のリブを複数条突設している。
【０００６】
特許文献４は、吸引口を有する内籠と掃除機の吸引パイプに連通する外殻からなる。掃除機と一体型である。筒状の内籠と外殻の端部は、一方が挿入口で、他方は塞がれ、外殻中央より吸引される。
【０００７】
特許文献５は、電気掃除機の本体に接続され床掃除の吸引部を先端に装着されたホースの途中に容易に取り付けられることができるモップの埃の吸引具において、両端が開口した略筒状で、該周壁は、長さ方向に沿って略半円筒部を占める受け壁部と、該対面の略半円筒部を占める覆い壁部からなり、前記受け壁部の略中央の側面に該内面側より通じる連結管が設けられ、前記覆い壁部の一部に長さ方向に貫通する切れ目が設けられた筒状の繊維束部を有することを特徴としている。
【先行技術文献】
【特許文献】
【０００８】
【特許文献１】特開２００４−２４２７３１号公報
【特許文献２】特開平８−３３６４９４号公報
【特許文献３】特許開２００８−１３６７１０号公報
【特許文献４】特許開２０１１−８７６６９号公報
【特許文献５】特許第５０２５０３１号公報
【発明の概要】
【発明が解決しようとする課題】
【０００９】
特許文献１〜４にしめすハタキの清掃用具は、清掃できる繊維束部の長さに制約がある。すなわち筒状中空体の両端のうち挿入端に対向する他端は、筒状体の直径より細い吸引口であるか又は閉塞されている。従って挿入可能なハタキの繊維束部の長さは、筒状中空体の長さ以下となる。一方でハタキの繊維束部の長さは最も普及しているもので３０〜５０ｃｍであり、特殊用途では更に長くなる傾向にある。中空体を長くすれば機能上は問題ないが、実用上は大きな問題である。取扱い易さ、設置場所、格納の観点からコンパクト化は極めて重要である。
【００１０】
特許文献５は両端が開放している。このため、モップが貫通でき、適用できるハタキの長さの制限は解消されている。
しかしながら、下記の課題がある。
第１の課題は、繊維束部が動物の尾型のハタキを往復移動させる時、繊維束部先端が吸引口に吸い込まれ吸引口を塞ぎ動作不能になることがある。これに対応し、あらかじめ吸引口の断面積を調整し吸気量の調整ができる構造になっているが、この方法は、掃除機の吸引能力を減じて使用することになり清掃能力と清掃効率が激減する。
第２の課題は、両端が開放した略筒状のモップの埃の吸引具で、略半円壁側から吸引した場合、モップは吸引壁に押し付けられ、筒内部の吸引壁にてしごかれ清掃効率を増加させる効果がある。しかしながら、筒内部でモップの断面が変形、即ち断面が円形の場合は吸引壁側が扁平する。この時筒状体の両端部の外の繊維束部は円形を保っている。このため両端部の境界において、繊維側部は筒の外周壁の外側へはみ出ている。この状態でモップを往復運動させると、挿入口で繊維側部の一部（吸引壁側）が挿入口でしごかれることなり、粉塵が外部に飛散する。室内での除塵作業において、前記は解決すべき極めて重要な課題である。
【課題を解決するための手段】
【００１１】
第１の発明は、両端にハタキ又は乾式モップを挿入、貫通、抜き差しできる開口部と前記両端の開口部の中間部の壁面の全周又は略半円周に空気が流通する吸引孔群を有する内筒と、前記吸引孔群を外側から覆う外殻にて作られた吸引室と、前記吸引室と吸引装置に連通する接続継手部とを、設けたことを特徴としている。ハタキは、筒状中空体の一方の開口部から先端から挿入し抜き差しする過程で電気掃除機の吸引にて除塵される。ハタキは筒状中空体を貫通可能なため、どんなに長くとも清掃可能である。又、吸引孔群と吸引室は段落００１０に記載した第一の問題点を解決できる。理由を以下に記す。吸入口が中空体の壁面に直接配置された従来法の場合、吸入口の断面積が掃除機の吸入パイプの断面積と同等の７平方ｃｍ程度となる。掃除機の性能は吸い込み仕事率で表示されている。吸い込み仕事率は、風量と真空度の積であり、吸引経路の抵抗が少ない、例えば無負荷の時は、空気量が多く、吸引口にはこの風量を吸入口の断面積で除した高速気流が発生している。この気流により繊維束群には吸い込み口へ引き入れられる力が働く。ハタキを先端から挿入する時、繊維束群の先端は吸い込み口の一部を塞ぐと、吸い込み口の断面積が減少する。この場合、風量は減少するが真空度が上がり吸い込み力が増加し、瞬時に吸引口を閉塞することになる。これを解除するためには一度掃除機を止め吸引口の閉塞を解除しなければならない。したがって、吸引口の閉塞防止は重要な課題である。
【００１２】
本願では、吸入孔群と吸入室にてこの問題を解決した。即ち、繊維束と接する内筒の吸入壁に吸入孔群設け、吸引孔群を覆うカバーを設け吸入室を形成し、吸引室に掃除機に連通する吸入口を設けた。これにより繊維束群に接する吸入断面積は、必要十分な大きさに拡大できる。例えば長さ８ｃｍ、幅６ｃｍ、空孔率０．５の時、２４平方ｃｍと吸引パイプの断面積の３倍強となり、繊維束群に作用する流速を減じることができる。又、繊維束群に接する吸入壁は多数の吸入孔でなる吸入孔群で形成されているため繊維束群が部分的に個々の孔を塞ぐことがあっても一度に全ての孔を塞ぐ確率は激減し、吸引経路の閉塞を防止できる。
【００１３】
第２の発明は、壁面の略半円周に吸引孔群と吸気室を有する吸引具にあって、内筒の吸引孔群に対向する壁面の一部に外部空気の流入孔群を設けた事を特徴としている。
外気は、吸引具の両開口部から流入する他、流入孔からも流入する。流入孔からの空気は、繊維束群の表面に付着している埃、塵を巻き込みながら吸入室へ流れる他、繊維束群を吸入孔群がある壁面に押し付ける。これは、壁面でのしごき作業を効果的にする。特に繊維束群の外径が内筒より細い場合に効果的である。
【００１４】
第３の発明は、内筒の両端開口部の少なくとも一方にハタキの挿入方向に向かって先細りのラッパ形の挿入口を有し、ラッパ形の挿入口の最大径部に沿って内側に丸められた縁樋が設けられ、縁樋の側面には挿入方向に向かって複数の空気の流入孔が設けてあることを特徴とする第１〜２の発明に記載したハタキの塵埃吸引具である。
本発明は、段落００１０で述べた吸引具の両端における塵埃の外部飛散という第２の課題の解決策である。ラッパ形挿入口の最大径は、除塵する繊維群の径よりも大きく作られている。本願では内筒の端部でしごかれ落とされた塵埃はラッパ形挿入口内を流れる気流に乗って内筒の中央へ引き込まれる。更に気流に乗りきれず落下した一部の粉塵は、ラッパ形挿入口の内面を滑り落ち最外周にもうけられた縁取りに集まる。縁取りには、外気が流入する流入孔が設けられているためこの気流に乗って再度内筒の中央へ引き込まれる。
【００１５】
第４の発明は、第１〜２の発明に記載した吸入孔にあって、吸引孔の形状が中心軸に沿って貫通し、内筒の中心軸に向かって円錐状に突出していることを特徴としている。吸引室と連通する各吸引孔には吸引室へ向かって高速の空気が流れている。繊維群の各繊維はこの空気により吸引室側に引き込まれる。このため吸引孔の一部は、繊維により塞がれることがある。吸引口を内面に向かって凸の円錐形にすると、繊維が吸引室へ引き込まれにくくなる。又、吸引具の軸に沿った往復運動の際、繊維群の先端は凸形の吸引口に接触し効果的に脱塵される。
【００１６】
更に、ハタキの塵埃吸引具において、実用性からその外形寸法は極めて重要な要素の一つである。本願のハタキの塵埃吸引具において、全長が４０ｃｍ以下にて、汎用的ハタキに対応し得る。
【発明の効果】
【００１７】
外形寸法が様々な汎用のハタキを室内で除塵できる、比較的コンパクトかつ安価な実用的なハタキの塵埃吸引具を提供できる。
【図面の簡単な説明】
【００１８】
【図１】実施形態１を示す斜視図である。
【図２】実施形態１の正面図である。
【図３】実施形態１の側面図である。
【図４】図３のＡ−Ａ断面図である。
【図５】実施形態２の正面図及び一部断面図である。
【図６】図５の横中央断面図である。
【図７】ラッパ形挿入口の正面図と一部断面図である。
【発明を実施するための形態】
【００１９】
本発明の実施例について、以下に詳述する。
図１は実施形態１を示す斜視図、図２は実施形態１の正面図、図３は実施形態１の側面図、図４は図３のＡ−Ａ断面図、図５は実施形態２の正面図及び一部断面図、図６は図５の横中央断面図、図７はラッパ形挿入口の正面図と一部断面図である。
実施形態１について、図１〜４を使って説明する。図１〜４に示すように本発明に関わる吸引具１は、ラッパ形挿入口２と、内筒３と、外殻４と、吸引室５と、吸引接続部６とから構成され、電気掃除機の吸引パイプ７へ接続される。
吸引室５に関わる内筒３、外殻４の詳しい構造は、図３〜４に示している。即ち内筒３の長さ方向の中央部には周囲に沿って複数条の吸引孔８が設けられ、その外側を外殻４にて覆い、内筒３と外殻４の間に吸引室５を形成している。又、吸引室５には吸引接続部６が設けられている。
ラッパ形挿入口２は内筒３へ向かって先細りのラッパ形となっている。更にラッパ形挿入口２の端部には、図７に示す様に、端部にそって内側に樋状に丸めた縁樋１２を設けてある。又、縁樋の側面には、周囲にそって流入孔（Ｂ）１５を設けている。
【００２０】
図１に示す様にハタキ１０は、挿入口２から内筒３へ挿入される。この時、掃除機１３は吸引接続部６を通して吸引室５の空気を排気している。
即ち吸引室５は負圧になり、内筒３に設けられた吸引孔８群を通して粉塵をふくむ繊維束部１１周りの空気を吸い込む。外部の空気は、挿入口２の繊維束の周りを通って供給される。ハタキ１０は、内筒３の軸方向へ人手により往復運動され、この作業にて繊維束部１１に付着している塵埃は空気流にのって掃除機１３のフィルター（図示せず）に捕獲され、清浄な空気のみ外部へ放出される。
【００２１】
ラッパ形挿入口２の機能について図７を使って説明する。段落１０の第２の課題で述べたように内筒３の両端部で発生する粉塵の外部への飛散防止は重要な課題の一つである。ラッパ形挿入口２は内筒３の両端部で発生する粉塵を挿入口の内壁で一時受留め、内部の気流により内筒３へ導くことができる。更に内壁を滑り落ちてきた一部の粉塵は縁樋１２で一時受留め、樋側面の流入孔（Ｂ）１５から流入する空気に乗せて、内筒３へ運ぶことができる。上記構造により粉塵の外部への飛散は激減する。
又、ラッパ形挿入口２により、ハタキの繊維束部１１をスムースに挿入できる他、空気が繊維束部１１の外周に沿って内筒３側にスムースに流れるため粉塵は効率的に吸引され、結果として繊維束部１１に付着した粉塵が挿入口で飛散することを大幅に減じることができる。尚、ラッパ形挿入口２の最大径は繊維束部１１の径より大きくなければならない。具体的には汎用的ハタキの繊維束部１１の径は殆ど８ｃｍ以下であることから最大径を１２ｃｍとした。
【００２２】
内筒３の壁面に設けた吸引孔８は、吸引孔の形状が中心軸に沿って貫通し、内筒の中心軸に向かって突出する円錐形（図示せず）とした。これによりハタキの繊維束部１１を機械的にしごき、塵を落とすことができる。又、段落００１０の第１の課題で述べた吸引口の閉塞に対して効果がある。
又、吸引孔の径は、５〜２０ｍｍが妥当である。何故なら大きすぎると繊維束部１１を引き込みやすくなる。汎用的なハタキの繊維束の径は周囲からおしつぶすと解放状態の半分程度、即ち径８０mmのハタキの繊維束部１１の径は周囲から高速気流で押し潰されると４０ｍｍ程度になる。汎用的なハタキの繊維束部１１の径は最小で４０ｍｍ程度であり、周りから押つぶされると２０ｍｍ程度になる。したがって、繊維束部１１の先端が引き込まれないために、吸引孔の径は少なくとも２０ｍｍ以下であることが望ましい。一方、吸引孔径が小さすぎると綿埃による目詰まりが生ずる。このため、少なくとも５ｍｍ以上であることが望ましい。
吸引孔の形状は円形以外に軸に沿った複数のスリット、又は長穴でもよい。
【００２３】
尚、図１に示す内筒３は、両端に開口部１６を有する中空体であれば良く、丸パイプ、多角形のパイプの他、球体や直方体等でも成立する。更に上記の吸引具１は電気掃除機１３の吸引パイプ７に直接取り付ける他、吸引具１を別置きとして吸引接続部６を介して電気掃除機１３或いは他の吸引装置にて排気しても同等の機能を発揮しうることは自明である。
【００２４】
次に実施形態２について図５〜６を使って説明する。図５〜６に示す様に、内筒３の吸引孔８は内筒の略半円周に設けられ、吸引孔８群を覆う外殻４と吸引室５も略半円周に設けられている。又、内筒３において、吸引孔８群に対向する壁面には、流入孔９が設けられている。その他の構造は実施形態１と同等である。
実施形態２における空気の流れは実施形態１と異なる。即ち、実施形態１では外部の空気は、ラッパ形挿入口２からのみ吸引され、繊維束部１１の周り或いは繊維束部１１内、内筒３、吸引室５を通過し、掃除機１３にて外部へ排気される。これに対して、実施形態２では、前記の空気の流れに加え、内筒３の流入口９からも外部空気が吸引される。
【００２５】
流入口９からの空気は繊維束部１１を対向する吸引孔８群の壁面に押し付ける作用がある。このためハタキの往復移動にて繊維束部１１を壁面でしごく効果を増大させる。特に内筒３の内径Dに比べて繊維束部１１の外径が小さい時効果がある。前記の状態時、実施形態１では繊維束部１１と内筒３の壁面とは極めてソフトに接触し周りを風が通過する。このため、繊維束部１１の内部の粉塵は除塵しにくい。これに対して、実施形態２では繊維束部１１が内筒３の吸引孔８群の壁面に強制的押しつけられしごきの効果にて効率的に除塵できる。
これにより、繊維束部１１の外径が小さいハタキの吸引清掃も問題なく対応できる。具体的には、内筒３の径が８ｃｍ、挿入口の径が１２ｃｍの吸引具にて繊維束部１１の径が８ｃｍ以下のハタキであれば、外径に関係なく効率的に除塵できる。
【００２６】
又、内筒３の一部或いは全てを金属等導電性材料で製作し、アースをとることによりハタキ１０に帯電した静電気を除電することができる。帯電性の繊維等で作られたハタキ１０の清掃にはきわめて有効である。
【符号の説明】
【００２７】
１      吸引具
２      ラッパ形挿入口
３      内筒
４      外殻
５      吸引室
６      吸引接続部
７      電気掃除機の吸引パイプ
８      吸引孔
９      流入孔
１０    ハタキ
１１    繊維束部
１２    縁樋
１３    電気掃除機
１４    風の流れ
１５    流入孔（Ｂ）
ＰＬ    吸引具の全長
Ｄ      内筒の内径
【要約】
【課題】
両端開口形のハタキの塵埃吸引具において、繊維束部先端が吸引口に吸い込まれ吸引口を塞ぎ動作不能になることがある。又、繊維側部が挿入口端部でしごかれ、粉塵が外部に飛散する。
【解決手段】
両端にハタキ又は乾式モップを挿入、貫通、抜き差しできる開口部と前記両端の開口部の中間部の壁面の全周又は略半円周に空気が流通する吸引孔群を有する内筒と、前記吸引孔群を外側から覆う外殻にて作られた吸引室と、前記吸引室と吸引装置に連通する接続継手部とを、設けたことを特徴とするハタキの塵埃吸引具。
【選択図】図１【図１】
0005616544.tif 000002
【図２】
0005616544.tif 000003
【図３】
0005616544.tif 000004
【図４】
0005616544.tif 000005
【図５】
0005616544.tif 000006
【図６】
0005616544.tif 000007
【図７】
0005616544.tif 000008